(57)【特許請求の範囲】
【請求項１】
多数の平行で等間隔な折曲部において交互に逆方向に折曲することによりアコーディオン式に伸縮するネットが、枠体内に横引きに開閉自在に取り付けられ、上記ネットの基端が上記枠体に固定され、上記ネットの先端に上記枠体に沿って摺動する開閉操作用の操作框が取り付けられ、一端を上記ネット基端側の上記枠体に個別に固定した複数のワイヤーが、上記ネット中に挿通され、上記操作框に設けられたガイド部材によって上記操作框中に案内され、上記操作框中において上記ワイヤーの他端に重りが垂下されたことを特徴とする横引き網戸。
【請求項２】
上記重りは、その外周に衝撃音の発生を防止する消音リングを設けていることを特徴とする請求項１に記載の横引き網戸。
【発明の詳細な説明】
【０００１】
【発明の属する技術分野】
本発明は、建物開口部に防虫のために取り付けられ、アコーディオン式に伸縮自在のネットを横引きに開閉する横引き網戸に関する。
【０００２】
【従来の技術】
従来、この種の横引き網戸は、図４に示すように、建物開口部に防虫等の目的で設置するもので、ネット１をアコーディオン式に伸縮自在とし、多数のプリーツを施して交互に逆方向に折曲し折り畳みによって左右に開閉自在としている。ネット１を開閉自在に保持する枠体２は、全体が矩形状を呈し、上レール２ａおよび下レール２ｂと、これら上下レール２ａ，２ｂの両側に相互に連結された側枠２ｃ，２ｄとからなり、建物開口部の周囲に固定され、アルミニウムあるいは合成樹脂によって成形されている。
【０００３】
ネット１の上下端部は、上下レール２ａ，２ｂに嵌入した状態に保持され、ネット１の可動側端に取り付けた操作框３の上下端部が上下レール２ａ，２ｂに案内され、操作框３がスムースに移動されるようになっている。
ネット１中の横方向には、複数のワイヤー４ａ〜４ｄが平行に挿通され、ワイヤー４ａ〜４ｄを一定の緊張状態に保持するようにし、風圧等の作用によりネット１の折り畳み部が展開して膨らん（撓ん）で、上レール２ａおよび下レール２ｂから外れるのを防止している。
【０００４】
操作框３には、複数のワイヤー４ａ〜４ｄの一端が個別に固定され、これらワイヤー４ａ〜４ｄのうち、上端に位置するワイヤー４ａを除く他のワイヤー４ｂ〜４ｄは、側枠２ｃに取り付けた転向子５ａ〜５ｃに巻き掛けて側枠２ｃの上部に導き、上端に位置するワイヤー４ａと共に側枠２ｃの上部に配設した転向子６に巻き掛け、ワイヤー４ａ〜４ｄを一纏めにして側枠２ｃ中に垂下させ、その他端に重り７を取り付けている。
従って、この重り７により操作框３には開方向の作用力が付与され、ワイヤー４ａ〜４ｄに与える張力によりネット１の姿勢が安定化し、風圧等の作用によるネット１の膨らみが防止されるようになっている。
【０００５】
【発明が解決しようとする課題】
ところで、上記の如き横引き網戸では、重り７を設ける場合に、風圧等の作用によるネット１の膨らみを防止しようとすると、重り７を重くしてワイヤー４ａ〜４ｄに作用する張力を大きくする必要がある。
しかしながら、重り７を重くすると、ネット１を自動開放させる場合に、操作框３が次第に加速して開放端において側枠２ｃに強く衝突し、大きな衝撃音を発すると共に、衝撃によって各部が破損する恐れがあるという問題点がある。
【０００６】
本発明は、上記のような問題点に鑑みてなされたものであって、その目的とするところは、ワイヤーのテンションを大きくしながらも、操作框が開放端において側枠に強く衝突しないようにした横引き網戸を提供することにある。
本発明の上記ならびにその他の目的と新規な特徴は、本明細書の記述および添付図面から明らかになるであろう。
【０００７】
【課題を解決するための手段】
上記目的を達成すべく、本発明に係る横引き網戸は、多数の平行で等間隔な折曲部において交互に逆方向に折曲することによりアコーディオン式に伸縮するネットが、枠体内に横引きに開閉自在に取り付けられ、上記ネットの基端が上記枠体に固定され、上記ネットの先端に上記枠体に沿って摺動する開閉操作用の操作框が取り付けられ、一端を上記ネット基端側の上記枠体に個別に固定した複数のワイヤーが、上記ネット中に挿通され、上記操作框に設けられたガイド部材によって上記操作框中に案内され、上記記操作框中において上記ワイヤーの他端に重りが垂下されたことを特徴とするものであり、さら上記操作框に、上記ガイド部材として、ローラーが軸支されたことを特徴としている。
【０００８】
従って、本発明では、ネットがワイヤーを介して操作框に作用する重りの作用力で自動的に開放される。この場合、操作框に作用する力は、ネットを折り畳み開放することは勿論、重り自身を操作框と共に移動させるのにも消費されるので、ネットの開放に作用する重りの作用力が軽減され、操作框がネットの開放端において側枠に強く衝突するようなことはない。
これによって、重い重りの使用が可能となるので、重りによるワイヤーのテンションを大きくすることができ、風圧等の作用によるネットの膨らみが確実に防止される。
【０００９】
【発明の実施の形態】
以下、本発明の実施の形態を図面に基づいて詳細に説明する。実施の形態を説明するに当たって、同一機能を奏するものは同じ符号を付して説明する。
図１は、本発明の一実施の形態に係る横引き網戸を正面からみたときの部分断面図、図２は、図１のＡ−Ａ断面図、図３は、横引き網戸のロック側の側面図である。
【００１０】
図１〜３に示す横引き網戸は、伸縮自在としたネット１１を建物開口部の周囲に固定された枠体１２内に横開き式に開閉自在に取り付けられている。このネット１１は、例えば、多数のプリーツを施して交互に逆方向に折曲することによりアコーディオン式に伸縮自在とし、その折り畳みによって左右に開閉するようにした防虫ネットにより構成されている。
ネット１１を開閉自在に保持する枠体１２は、上レール１２ａおよび下レール１２ｂと、これら上下レール１２ａ，１２ｂの両側に相互に連結された側枠１２ｃ，１２ｄとによって全体が矩形状に構成され、アルミニウムあるいは合成樹脂によって成形されている。
【００１１】
アコーディオン式に伸縮自在のネット１１の固定側端（基端）は、側枠１２ｃに固定され、ネット１１の可動側端（操作端）には、上レール１２ａおよび下レール１２ｂに沿って左右摺動自在に保持された開閉操作用の操作框１３が取り付けられている。
また、側枠１２ｄには、操作框１３を閉鎖位置に保持するための掛け金具１５が装着され、操作框１３には、掛け金具１５が係止し、網戸を閉鎖位置でロックするための受け穴１３ａが形成されている。
【００１２】
ネット１１中の上下部およびその間の横方向には、複数のワイヤー１４ａ〜１４ｄが、側枠１２ｃおよび操作框１３にそれぞれ固定された複数の鳩目１６に案内されて平行に挿通され、ワイヤー１４ａ〜１４ｄを後述する重り１８によって一定の緊張状態に保持するようにし、風圧等の作用によりネット１１が膨らんで上レール１２ａおよび下レール１２ｂから外れるのを防止している。
側枠１２ｃには、複数のワイヤー１４ａ〜１４ｄの一端が個別に固定され、これらワイヤー１４ａ〜１４ｄを一纏めにして、操作框１３中に取り付けたローラー１７に巻き掛けて、操作框１３中に案内させ、その他端に重り１８を垂下させている。なお、図中、１９は、重り１８の外周に周設され、重り１８と操作框１３の内壁との接触による衝撃を緩和し、衝撃音の発生を防止する消音リングであり、２０は、操作框１３の上端部に取り付けられ、上レール１２ａ内を走行する車輪である。
【００１３】
横引き網戸は、以上の如く構成されているので、重り１８により操作框１３には開方向の作用力が付与され、ワイヤー１４ａ〜１４ｄに付与されるテンションによりネット１１の姿勢が安定化され、風圧等の作用によるネット１１の膨らみが防止される。
重り１８の作用力がネット１１の開方向に作用するため、ネット１１の張設状態、即ち、閉鎖した状態において、掛け金具１５を外すと、ネット１１が、ワイヤー１４ａ〜１４ｄを介して操作框１３に作用する重り１８の作用力によって、操作框１３の内部に垂下された重り１８と共に、側枠１２ｃに向けて自動的に移動し、これによって、ネット１１が開放される。
【００１４】
この場合、重り１８の作用力は、ネット１１を折り畳み開放させるのに消費されることは勿論、重り１８自身を移動させるためにも消費されるので、操作框１３にネット１１を開放するために作用する力が軽減され、操作框１３が開放端において、側枠１２ｃに強く衝突するようなことが回避される。
これによって、重り１８の重量を比較的大きなものにすることが可能になるので、重り１８によるワイヤー１４ａ〜１４ｄのテンションを大きくすることができ、風圧等の作用によるネット１１の膨らみを確実に防止することができ、防虫効果をより向上させることができる。
【００１５】
以上、本発明の実施の形態の横引き網戸について詳述したが、本発明は、上記実施の形態記載の横引き網戸に限定されるものではなく、本発明の特許請求の範囲に記載されている発明の精神を逸脱しない範囲で、設計において種々の変更ができるものである。
例えば、上記実施の形態では、ガイド部材として、ローラー１７を用いたが、ワイヤー１４ａ〜１４ｄとの摩擦抵抗が小さい合成樹脂材料等からなるガイド部材を採用してもよい。
【００１６】
【発明の効果】
以上の説明から理解されるように、本発明の横引き網戸によれば、操作框中に重りを垂下した構造なので、操作框に作用する開方向の作用力は、重り自身の移動のためにも消費され、操作框に対するネットの開放に作用する重りの作用力が軽減されるので、重りを重くすることができるようになる。
従って、ネット中に挿通したワイヤーのテンションが充分に得られ、風圧等の作用によるネットの膨らみを確実に防止しながら、操作框が、開放端において側枠に強く衝突しないようにすることができ、衝撃音の発生や衝撃によって各部が破損することもない。
【図面の簡単な説明】
【図１】本発明の一実施の形態を示す横引き網戸を正面からみた部分断面図である。
【図２】図１のＡ−Ａ断面図である。
【図３】本発明の一実施の形態を示す横引き網戸における操作框の側面図である。
【図４】従来の横引き網戸を正面からみた断面図である。
【符号の説明】
１１  ネット
１２  枠体
１３  操作框
１４ａ〜１４ｄ  ワイヤー
１７  ローラー
１８  重り
【図１】
0003579370.tif 000002
【図２】
0003579370.tif 000003
【図３】
0003579370.tif 000004
【図４】
0003579370.tif 000005